(57)【要約】【課題】  ロープを巻装したリールを簡単且つ体裁よく装着することができると共に、ロープを所定部位から所望長さ、円滑に引き出すことができ、また、陳列も整然と行うことができるリール用架台を提供する。【解決手段】  底板１の両側端に一定高さの両側板２、２を立設していると共にこの両側板２、２の前端面間に前面板３を取付けてなる架台本体Ａにおいて、上記両側板２、２の上端面における長さ方向の中間部に軸受溝７、７を形成していると共に上記上端面を軸受溝７、７に向かって下方に傾斜した傾斜上端面６、６に形成して、ロープＢを巻装しているリールＣの支軸の両端部をこの傾斜上端面６、６上を摺動させながら軸受溝７、７に嵌め込み可能とし、さらに、上記前面板３の中央部に上記リールＣに巻装しているロープＢの引き出し口８を穿設している。【選択図】    図３
0003173120.tif 000002
【実用新案登録請求の範囲】
【請求項１】
底板の両側端に上方に向かって一定高さの側板を立設すると共にこれらの両側板の前端下部間を前面板によって一体に連結することによって架台本体を形成してあり、この架台本体における上記両側板の前部の上端面を水平上端面又は前端から後方に向かって下方に緩やかに傾斜した傾斜上端面に形成する一方、後部の上端面を後端から前方に向かって下方に緩やかに傾斜した傾斜上端面に形成してあり、さらに、両側板の上端部における上記前部と後部との境界部に軸受溝を形成してリールの支軸の両端部を上記後部側の傾斜上端面に摺接させながらこの軸受溝に嵌入させるように構成していると共に、上記前面板の中央部にリールから繰り出されるロープ端の引き出し口を設けていることを特徴とするリール用架台。
【請求項２】
前後方向の長さが２個のリールを並列可能な長さ寸法を有し、横幅が１個のリールを配設可能な幅寸法を有する長方形状の底板の両側端に前部の高さが後部の高さよりも低い側板を上方に向かって立設していると共にこれらの両側板の前端間を前面板によって一体に連結することによって架台本体を形成してあり、この架台本体における上記両側板の前部と後部との長さ方向の中間部にそれぞれ左右一対の第一軸受溝と第二軸受溝を形成していると共に、両側板における上記前部と後部との上端面に前端又は後端からこれらの第一軸受溝と第２実第二軸受溝に向かって下方に緩やかに傾斜した第一傾斜上端面と第二傾斜上端面をそれぞれ形成して前部に配設する小径リールと後部に配設する大径リールとの支軸をこれらの第一、第二傾斜上端面上から第一軸受溝と第二軸受溝とにそれぞれ嵌入させるように構成してあり、さらに、上記前面板の両側部に上記前後に配したリールから繰り出されるロープ端の引き出し口をそれそれ設けていることを特徴とするリール用架台。
【請求項３】
両側板の前部の上端面後半部と後部の上端面後半部とをそれぞれ第一軸受溝と第二軸受溝とに向かって下方に傾斜した第一傾斜上端面と第二傾斜上端面に形成している一方、前部の上端面前半部と後部の上端面前半部とをそれぞれそれぞれ水平上端面又は前側から第一軸受溝と第二軸受溝とに向かって下方に緩やかに傾斜した傾斜上端面に形成していることを特徴とする請求項２に記載のリール用架台。
【考案の詳細な説明】
【技術分野】
【０００１】
本考案は、ロープを巻装してなるリールを回転自在に支持するリール用架台に関するものである。
【背景技術】
【０００２】
従来から、色や材質、太さ等の異なった各種ロープを陳列、販売する場合、種類の異なるロープをそれぞれ巻装した複数個のリールを配列、設置することが行われている。このような陳列装置としては、例えば、特許文献１に記載されているように、左右方向に所定間隔毎に立設した複数本の支柱の前面における上下部分に前方に向かって斜め上方に傾斜したアームを突設すると共にこれらの傾斜アームの長さ方向の中間部上面に軸受溝を設けてなり、左右方向に隣接する傾斜アームの上面にロープを巻装したリールの両側フランジにおける中心に突設した水平支軸を載せて傾斜アームの傾斜上面に沿って移動させ、両側水平支軸を隣接する傾斜アームの上記軸受溝に嵌め込むことによってリール所定位置に回転自在に支持させるように構成した装置が知られている。
【０００３】
また、ロープ用リールではないが、電線やケーブルを巻装したリールの設置台として、例えば、特許文献２に記載されているように、左右方向に一定間隔を存した状態にして複数本の連結棒により固定している両側板の上端面を、後端から前端に向かって斜め下方に傾斜した傾斜面に形成している共に、前半部の傾斜面を後半部の傾斜面よりも高くしてこれらの傾斜面の連続部分に段差を設け、この段差部分に下方に向かって軸受溝を形成してなり、リールの両側フランジにおける中心に突設した水平支軸を後半部側の傾斜面上に載せて該傾斜面に沿って移動させ、その両側水平支軸を上記軸受溝に嵌め込むことによってリール所定位置に回転自在に支持させるように構成した設置台がある。
【先行技術文献】
【特許文献】
【０００４】
【特許文献１】実開平１−１４９３７３号公報
【特許文献２】実開平２−１５９６９号号公報
【考案の概要】
【考案が解決しようとする課題】
【０００５】
しかしながら、上記特許文献１に記載の陳列装置によれば、各種ロープを巻装している複数個のリールを縦横に配列することができるが、この装置は一定の場所に設置されていて移動させることが困難であるため、リールの陳列、販売場所を容易に変更することができないばかりでなく、重いリールを隣接する傾斜アーム間上、特に上段側の隣接する傾斜アーム間上に載置するには労力を要し、入れ換え作業も煩わしくなると共に、一カ所でもリールが設置されていない部分が存在すると外観を損するといった問題点がある。
【０００６】
また、上記陳列装置の変形例として、一本の長い棒状の支軸に２〜３個のリールを回転自在に支持させ、この支軸の両端部を一定間隔を存して配置した支柱や側板等の支持部材間に脱着自在に架設、支持させるように構成した装置も知られているが、２〜３個のリールを支持している支軸の重量は極めて大きくてその取り扱いが困難となり、上記同様に支持部材間への配置作業やリールの取り替え作業に著しい手間と労力を要するといった問題点が生じることになる。
【０００７】
一方、特許文献２に記載されているように、１個のリールを回転自在に支持するように構成した設置台によれば、取り扱いが容易で所望の場所に並設することができるが、リールを設置台に上方から配設する際に側板どうしを連結している連結棒が邪魔になって設置作業に手間取るばかりでなく、両側板の上端面が後端から前端に向かって斜め下方に傾斜した傾斜面に形成して、この傾斜面の中間位置に軸受溝を設けているため、リールの側板中心部に突設した水平支軸を不測に前半部側の傾斜面上に載せた場合には、この傾斜面を伝って下方に移動して設置台から転落するといった問題点がある。
【０００８】
さらに、所望のロープを所定長、購入する際に、リールからロープが設置台の前端下部において両側板間を連結している連結棒上を左右方向に往復移動しながら繰り出されることになって、円滑な引き出しが行えないばかりでなく、リールから繰り出されたロープの端部が連結棒から容易に外れて度々掛け直す必要が生じると共に、長く引き出されたロープ端が隣接する設置台から引き出されているロール端と絡まる虞れがあり、整然とした陳列ができなくなるといった問題点があった。
【０００９】
本考案はこのような問題点に鑑みてなされたもので、その目的とするところは、取り扱いが容易で所望の場所に体裁よく設置することができるばかりでなく、リールの設置が円滑且つ確実に行えると共にロープの引き出し位置を不動にして整然とした繰り出しを可能にしたリール用架台を提供するにある。
【課題を解決するための手段】
【００１０】
上記目的を達成するために本考案のリール用架台は、請求項１に記載したように、底板の両側端に上方に向かって一定高さの側板を立設すると共にこれらの両側板の前端下部間を前面板によって一体に連結することによって架台本体を形成してあり、この架台本体における上記両側板の前部の上端面を水平上端面又は前端から後方に向かって下方に緩やかに傾斜した傾斜上端面に形成する一方、後部の上端面を後端から前方に向かって下方に緩やかに傾斜した傾斜上端面に形成してあり、さらに、両側板の上端部における上記前部と後部との境界部に軸受溝を形成してリールの支軸の両端部を上記後部側の傾斜上端面に摺接させながらこの軸受溝に嵌入させるように構成していると共に、上記前面板の中央部にリールから繰り出されるロープ端の引き出し口を設けてなる構造を有する。
【００１１】
請求項２に係る考案は、前後方向の長さが２個のリールを並列可能な長さ寸法を有し、横幅が１個のリールを配設可能な幅寸法を有する長方形状の底板の両側端に前部の高さが後部の高さよりも低い側板を上方に向かって立設していると共にこれらの両側板の前端間を前面板によって一体に連結することによって架台本体を形成してあり、この架台本体における上記両側板の前部と後部との長さ方向の中間部にそれぞれ左右一対の第一軸受溝と第二軸受溝を形成していると共に、両側板における上記前部と後部との上端面に前端又は後端からこれらの第一軸受溝と第２実第二軸受溝に向かって下方に緩やかに傾斜した第一傾斜上端面と第二傾斜上端面をそれぞれ形成して前部に配設する小径リールと後部に配設する大径リールとの支軸をこれらの第一、第二傾斜上端面上から第一軸受溝と第二軸受溝とにそれぞれ嵌入させるように構成してあり、さらに、上記前面板の両側部に上記前後に配したリールから繰り出されるロープ端の引き出し口をそれそれ設けてなる構造を有する。
【００１２】
上記請求項２に記載のリール用架台において、請求項３に係る考案は、両側板の前部の上端面後半部と後部の上端面後半部とをそれぞれ第一軸受溝と第二軸受溝とに向かって下方に傾斜した第一傾斜上端面と第二傾斜上端面に形成している一方、前部の上端面前半部と後部の上端面前半部とをそれぞれそれぞれ水平上端面又は前側から第一軸受溝と第二軸受溝とに向かって下方に緩やかに傾斜した傾斜上端面に形成していることを特徴とする。
【考案の効果】
【００１３】
請求項１に係る考案によれば、架台本体は、底板の両側端に上方に向かって一定高さの側板を立設すると共にこれらの両側板の前端下部間を前面板によって一体に連結してなるものであるから、構造が簡単で多量生産に適すると共に、両側板間を連結棒等によって連結することなく上端が全面的に開口した形態に形成されているので、この架台本体に対するリールの設置作業が容易に行うことができる。
【００１４】
さらに、この架台本体における上記両側板の前部の上端面を水平上端面又は前端から後方に向かって下方に緩やかに傾斜した傾斜上端面に形成する一方、後部の上端面を後端から前方に向かって下方に緩やかに傾斜した傾斜上端面に形成していると共に、両側板の上端部における上記前部と後部との境界部に軸受溝を形成しているので、この架台本体に対するリールの装着時に、ロープを巻装したリールの支軸の両端部を両側板の後部の傾斜上端面上に掛け渡すように載置することによって、この傾斜上端面に摺接、或いは該傾斜上端面上を転動させながら円滑に軸受溝内に嵌め込むことができるのは勿論、リールを装着する際に、その支軸の両端部を不測に両側板の前部上端面に載せても、該前部上端面を水平上端面又は前端から軸受溝に向かって下方に緩やかに傾斜した傾斜上端面に形成しているので、架台本体から落下したりする虞れはなく、軸受溝内に確実に嵌め込むことができる。
【００１５】
また、両側板の前端下部に両側端部を一体に連結、固着させている上記前面板の中央部にリールから繰り出されるロープ端の引き出し口を設けているので、リールに巻装しているロープを常に前面板の中央部に設けている引き出し口を通じて引き出すことができると共に，引き出したロープ端が引き出し口内に引き込まれることなくこの引き出し口から引き出した状態を保持しておくことができ、従って、色や材質、太さ等の異なったロープを装着、設置している数台のリール用架台を横列状態に配設してロープを陳列、販売する場合に、隣接するリール用架台の引き出し口から引き出されているロープ端どうしの絡み合いをなくして、所望のロープを円滑に引き出すことができるように整然とした陳列を可能にすることができ、さらに、前面板にリールに巻装しているロープの材質や太さ等を記載した紙片等を添付しておくことができて所望のロープを簡単且つ確実に購入することができる。
【００１６】
請求項２に係る考案によれば、架台本体は、前後方向の長さが２個のリールを並列可能な長さ寸法を有し、横幅が１個のリールを配設可能な幅寸法を有する長方形状の底板の両側端に前部の高さが後部の高さよりも低い側板を上方に向かって立設していると共にこれらの両側板の前端間を前面板によって一体に連結してなるものであるから、この架台本体の両側板における高さが低い前部側に巻径の小さいリールを、この前部よりも高い高さに形成されている後部側に巻径の大きいリールを前後に並列させた状態で配設することができる。
【００１７】
さらに、この架台本体における上記両側板の前部と後部との長さ方向の中間部にそれぞれ左右一対の第一軸受溝と第二軸受溝を形成していると共に両側板における上記前部と後部との上端面に前端又は後端からこれらの第一軸受溝と第２実第二軸受溝に向かって下方に緩やかに傾斜した第一傾斜上端面と第二傾斜上端面をそれぞれ形成しているので、架台本体の前後部にロープを巻装している大小径のリールをそれぞれ装着する際に、これらのリールの支軸の両端部を上記第一傾斜上端面と第二傾斜上端面にそれぞれ載置することによってこの傾斜上端面上を摺動或いは転動させながら円滑に対応する軸受溝内に嵌め込むことができる。
【００１８】
従って、架台本体の前部に小径のリールを、後部に大径のリールをそれぞれ配設することができて優れた外観を呈すると共に体裁のよい陳列が可能となるばかりでなく、前側に配設した小径のリールから後側に配設した大径のリールを上方に大きく露出させることができて所望のロープを素早く選出することができる。
【００１９】
また、架台本体の両側板における高さの低い前部の前端間を連結している上記前面板の両側部に、前後に配した大小径のリールからそれぞれ繰り出されるロープ端の引き出し口を設けているので、これらのロープ端の引き出し位置を常に一定にすることができると共に所望のロープを円滑に引き出すことができ、その上、これらの両側引き出し口の上方或いは下方における前面板の両側部に引き出し口から引き出されているロープの材質や太さ等を記載した紙片等を添付しておくことができて間違えることなく所望のロープを簡単且つ確実に購入することができる。
【００２０】
請求項３に係る考案によれば、上記架台本体における両側板の前部の上端面後半部と後部の上端面後半部とをそれぞれ第一軸受溝と第二軸受溝とに向かって下方に傾斜した第一傾斜上端面と第二傾斜上端面に形成しているので、この架台本体の前後部に大小径のリールをそれぞれ装着する時に、これらの大小径リールの支軸の両端部をそれぞれ上記第一傾斜上端面と第二傾斜上端面上に載せることによって、それぞれの傾斜上端面に沿って第一軸受溝と第二軸受溝とに円滑に嵌め込むことができる。
【００２１】
さらに、上記両側板における前部の上端面前半部と後部の上端面前半部とをそれぞれそれぞれ水平上端面又は前側から第一軸受溝と第二軸受溝とに向かって下方に緩やかに傾斜した傾斜上端面に形成しているので、大小径のリールを架台本体の前後部に装着する際に、その支軸の両端部を不測に両側板における前部の上端面前半部や後部の上端面前半部に載せても、架台本体から落下したりする虞れはなく、上記第一軸受溝と第二軸受溝とに確実に嵌め込むことがてきる。
【図面の簡単な説明】
【００２２】
【図１】本考案リール用架台の斜視図。
【図２】リールを装着している状態の簡略縦断側面図。
【図３】リールを装着した状態の簡略縦断側面図。
【図４】その斜視図。
【図５】本考案の別なリール用架台の斜視図。
【図６】リールを装着している状態の簡略縦断側面図。
【図７】リールを装着した状態の簡略縦断側面図。
【図８】その斜視図。
【考案を実施するための形態】
【００２３】
次に、本考案の実施の形態を図面について説明すると、図１〜図４において、ＡはロープＢを巻装しているリールＣを回転自在に装着、支持する架台本体であって、１個のリールＣを配設することができる長さと幅を有する矩形状の底板１の両側端に、上方に向かって一定高さの側板２、２を立設していると共に、これらの両側側板（以下、両側板２、２という）の前端における下部間を横長矩形状の前面板３によって一体に連結してなるもので、両側板２、２間は連結棒などによって連結することなく、上記前面板３のみによって所定の幅間隔を存した状態で連結している。
【００２４】
この架台本体Ａを構成している上記底板１と両側板２、２及び前面板３は鋼板製であって、両側板２、２の下端部に下端から内側方に向かって直角に屈折してなる細幅の取付片2a、2aを形成してあり、この取付片2a、2aの上面に底板１の両側端部を重ね合わせて複数箇所をリベット４により、或いは、ネジ等によって固着して底板１の両側端から両側板２、２を立設させている。また、前面板３の両側端部に後方に向かって直角に屈折してなる細幅の取付片3a、3aを形成してあり、この取付片3a、3aの外側面を両側板２、２の前端下部の内側面に重ね合わせてその数カ所をリベット４により、或いは、ネジ等によって固着して両側板２、２間を１個のリールＣが配設可能な間隔を存して連結している。
【００２５】
さらに、両側板２、２の上端面において、前部の上端面を水平な端面５、５に形成している一方、後部の上端面を後端から前方に向かって下方に緩やかに傾斜した傾斜上端面６、６に形成している。また、両側板２、２の上端面において、これらの両側板２、２の前後方向の長さの中間部、即ち、前部と後部との境界部に下方に向かって一定深さの軸受溝７、７を形成してあり、上記水平上端面５、５の後端と傾斜上端面６、６の前端とをこの軸受部７、７に連続させていると共に底板１から水平上端面５までの高さと傾斜上端面６の後端までの高さとを等しい高さに形成してあり、従って、上記軸受溝７に連続した水平上端面５、５の後端と傾斜上端面６、６の前端との間に該傾斜上端面６の高さが水平上端面５よりも低くなった段差が形成されている。
【００２６】
なお、軸受溝７の開口端の前後端面は水平上端面５の後端と傾斜上端面６の前端とに連続した凸円弧状端面に形成されている。また、上記前面板の中央部にリールＣから繰り出されたロープＢの端部を挿通させる円形のロープ端引き出し口８を設けていると共に、ロープ架台本体Ａの両側板２、２の下端部における前後部に横長の手掛け用孔９、９を穿設している。
【００２７】
このように構成したリール用架台に装着されるリールＣは、ロープＢを巻装している円筒形状のドラムC1の両側端に円板形状のフランジC2、C2を取付け、且つ、ドラムC1の中心孔に該ドラムC1よりも長い長さを有する支軸C3を挿通してその両端部をフランジC2、C2の中心から外部に突出させた構造を有している。
【００２８】
次に、上記リール用架台にリールＣを装着、設置するには、リールＣを持ち上げて架台本体Ａの後部内にその下半部を挿入しながら両側フランジC2、C2から突設している支軸C3の両端部を両側板２、２の後部の傾斜上端面６、６上間に図２に示すように掛け渡すように載置したのち、この両側傾斜上端面６、６上を摺動或いは転動させながら該支軸C3を前方に移動させ、両側傾斜上端面６、６の下傾端である前端から軸受溝７、７に嵌め込む。しかるのち、リールＣのドラムC1に巻装されているロープＢの端部をドラムC1から繰り出して前面板３の中央部に穿設している引き出し口８から前方に引き出き出しておく。また、必要に応じて前面板３に、ドラムC1に巻装されているロープＢの径や品種等を記載した紙片（図示せず）を貼着しておく。
【００２９】
なお、リールＣの装着時に、その支軸C3の両端部が不測に架台本体Ａの両側板２、２における前部の水平上端面５、５上に載置されても、架台本体Ａの前端側に移動することなくこの水平上端面５、５上を後方に移動させながら軸受溝７、７に嵌め込むことができる。この場合、水平上端面５、５に代えて両側板２、２の前部上端面を前端から後方に向かって下方に緩やかに傾斜した傾斜上端面に形成しておいてもよく、このように形成しておけば、支軸C3の両端部が不測にこの傾斜上端面上に載置されても、後方に向かって自動的に移動させて上記軸受溝７、７内に嵌め込むことができる。
【００３０】
このように、リールＣを装着した架台を陳列する場合、色彩な材質、太さ等の異なったロープＢを巻装しているリールＣを装着した複数台の架台を所定の陳列場所に横列状態に設置し、それぞれのロープＢを架台本体Ａの前面板３の中央部に穿設している引き出し口８から前方に引き出き出しておく。そして、購入時には、所望のロープＢを巻装しているリールＣを装着した架台を選出してその引き出し口８から所望長さを引き出して切断する。また、リールＣに巻装していたロープＢがなくなれば、同種のロープＢを巻装しているリールＣと取り替える。なお、リールＣを装着している架台は、両側板２、２に設けている手掛け孔９、９に手を掛けることによって所定場所に運搬、設置することができる。
【００３１】
図５〜図８は本考案リール用架台の別な実施の形態を示すもので、大小径のリールＣ、C'を前後に装着するように構成しているものである。このリール用架台の構造を詳述すると、ＡはロープＢ、B'をそれぞれ巻装している大小径の２個のリールＣ、C'Ｃ、C'を前後部に縦列状態で配設している架台本体で、前後方向の長さが上記２個のリールＣ、C'を前後に並べた状態で配設可能な長さ寸法を有し、且つ、横幅が１個のリールＣ又はC'を配設可能な幅寸法を有する長方形状の底板11の両側端に前部の高さが後部の高さよりも低い側板12、12を上方に向かって立設していると共に、これらの両側板12、12のの前端間を横長長方形状の前面板13によって一体に連結してなるもので、両側板12、12間は上記実施例と同様に連結棒などによって連結することなく、上記前面板13のみによって所定の間隔、即ち、１個のリールＣまたはC'を配設可能な幅間隔を存した状態でも連結している。
【００３２】
この架台本体Ａを構成している上記底板11と両側板12、12及び前面板13は鋼板製であって、上記実施の形態と同様に、両側板12、12の下端部に下端から内側方に向かって直角に屈折してなる細幅の取付片12a 、12a を形成してあり、この取付片12a 、12a の上面に底板11の両側端部を重ね合わせて複数箇所をリベット14により、或いは、ネジ等によって固着して底板11の両側端から両側板12、12を立設させている。また、前面板13の両側端部に後方に向かって直角に屈折してなる細幅の取付片13a 、13a を形成してあり、この取付片13a 、13a の外側面を両側板12、12の前端下部の内側面に重ね合わせてその数カ所をリベット14により、或いは、ネジ等によって固着して両側板12、12間を１個のリールＣが配設可能な間隔を存して連結している。
【００３３】
さらに、この架台本体Ａにおける上記両側板12、12の高さの低い前部上端面において、その長さ方向の中間部、即ち、該前部前半部と前部後半部との境界部に下方に向かって所定深さの第一軸受溝17a 、17a を形成してあり、同様に、両側板12、12における上記前部よりも高さの高い後部上端面において、その長さ方向の中間部、即ち、該後部における前半部と後半部との境界部に下方に向かって所定深さの第二軸受溝17b 、17b を形成している。
【００３４】
また、長さ方向の中間部に上記第一軸受溝17a 、17a を左右一対となるように設けている両側板12、12の前部上端面において、該前部の前半部を水平な上端面15a 、15a に形成している一方、該前部の後半部は後端、即ち両側板12、12の後部前端との連設部から上記第一軸受溝17a 、17a に向かって緩やかに傾斜した傾斜上端面16a 、16a に形成してあり、さらに、長さ方向の中間部に上記第二軸受溝17b 、17b を左右一対となるように設けている両側板12、12の後部上端面において、該後部の前半部を水平な上端面15b 、15b に形成している一方、該後部の後半部は両側板12、12の後端から上記第二軸受溝17b 、17b に向かって緩やかに傾斜した傾斜上端面16b 、16b に形成していると共に、この後部における前半部の上記水平上端面15b 、15b の前端と上記前部における後半部の上記傾斜上端面16a 、16a の後端との間の両側板12、12の中央部上端面を水平上端面15b 、15b の前端から記前部における後半部の上記傾斜上端面16の後端に向かって下方に急傾斜した傾斜上端面20に形成している。
【００３５】
なお、第一軸受溝17a の開口上端の前後端面は水平上端面15a の後端と傾斜上端面16a
の前端とに連続した凸円弧状端面に形成していると共に水平上端面15a よりも傾斜上端面16a の前端の高さを低くしてあり、同様に、第二軸受溝17b の開口上端の前後端面は水平上端面15b の後端と傾斜上端面16b の前端とに連続した凸円弧状端面に形成していると共に水平上端面15b よりも傾斜上端面16b の前端の高さを低くしている。
【００３６】
さらに、架台本体Ａにおける上記前面板の両側部にこの架台本体Ａの前部の上記第一軸受溝17a 、17a に回転自在に支持された小径リールC'から繰り出されるロープB'の端部を引き出すための引き出し口18a と、後部の上記第二軸受溝17b 、17b に回転自在に支持された大径リールＣから繰り出されるロープＢの端部を引き出すための引き出し口18b を設けていると共に、架台本体Ａの両側板12、12の下端部における前後部に横長の手掛け用孔19、19を穿設している。
【００３７】
このように構成したリール用架台に装着される上記大小径のリールＣ、C'は、ロープＢ、B'をそれぞれ巻装している円筒形状のドラムC1a 、C1b の両側端に円板形状のフランジC2a 、C2a ；C2b 、C2b をそれぞれ取付け、且つ、ドラムC1a 、C1b のの中心孔に該ドラムC1a 、C1b よりも長い長さを有する支軸C3a 、C3b をそれぞれ挿通してこれらの支軸C3a 、C3b の両端部を両側フランジC2a 、C2a ；C2b 、C2b の中心から外部にそれぞれに突出させた構造を有している。
【００３８】
次に、このリール用架台に小径リールC'と大径リールＣとを前後に並列させた状態となるように装着、設置するには、小径リールC'を持ち上げて架台本体Ａの前部内にその下周部を挿入しながら両側C2a 、C2a から突設している支軸C3a の両端部を、図６に示すように、両側板２、２の前部における後半部に形成している傾斜上端面16a 、16a 上間に架設するように載置したのち、この両側傾斜上端面16a 、16a 上を摺動或いは転動させながら該支軸C3a を前方に移動させ、両側傾斜上端面16a 、16a の下傾端である前端から第一軸受溝17a 、17a に嵌め込む。
【００３９】
同様にして、大径リールＣを持ち上げて架台本体Ａののち部内にその下周部を挿入しながら両側C2a 、C2a から突設している支軸C3b の両端部を、図６に示すように、両側板２、２の後部における後半部に形成している傾斜上端面16b 、16b 上間に架設するように載置したのち、この両側傾斜上端面16b 、16b 上を摺動或いは転動させながら該支軸C3b を前方に移動させ、両側傾斜上端面16b 、16b の下傾端である前端から第二軸受溝17b 、17bに嵌め込む。なお、架台本体Ａの前後部に対するこれらの大小径リールＣ、C'の装着手順はいずれを先に行ってもよい。
【００４０】
しかるのち、これらの大小径リールＣ、C'のドラムC1a 、C1b にそれぞれ巻装されているロープＢ、B'の端部をドラムC1a 、C1b から繰り出して前面板３の両側部に穿設している引き出し口18a 、18b からそれぞれ前方に引き出き出しておく。また、必要に応じて前面板13の両側部における上記引き出し口18a 、18b の上方又は下方に、これらの引き出し口18a 、18b から引き出されているロープＢ、B'の太さや材質、色等を記載した紙片（図示せず）を貼着しておく。
【００４１】
なお、大小径のリールＣ、C'を架台本体Ａに装着する際に、その支軸C3a 、C3b の両端部が不測に架台本体Ａの両側板２、２における水平上端面15a 、15b 上に載置されても、架台本体Ａから脱落することなくこの水平上端面15a 、15b 上を後方に移動させながら軸受溝17a 、17b にそれぞれ嵌め込むことができる。この場合、水平上端面15a 、15b に代えて前端から後方側の第一軸受溝17a 、17a と第二軸受溝17b 、17b に向かって下方に緩やかに傾斜した傾斜上端面にそれぞれ形成しておいてもよく、このように形成しておけば、支軸C3a 、C3b の両端部が不測にこの傾斜上端面上に載置されても、後方に向かって自動的に移動させながら上記軸受溝17a 、17b にそれぞれ嵌め込むことができる。
【００４２】
このように、前後部に大小径のリールＣ、C'を装着した架台を陳列する場合、これらの大小径のリールＣ、C'のドラムC1a 、C1b に色彩な材質、太さ等が同じ品種のロープを巻装しておいてもよいが、色彩な材質、太さ等の異なったロープＢ、B'を巻装しておくことが好ましい。また、多種のロープを陳列する場合には、前後に大小径のリールＣ、C'を装着している上記架台を複数台、所定の陳列場所に横列状態に設置し、これらの架台に装着しているリールＣ、C'に色彩な材質、太さ等の異なったロープを巻着しておけばよい。
【００４３】
架台本体Ａの前後に装着している上記大小径リールＣ、C'に巻装しているロープＢ、B'は、架台本体Ａの前面板13の両側部に穿設している引き出し口18a 、18b からそれそれ前方に引き出き出しておく。そして、購入時には、所望のロープを巻装しているリールを装着した架台を選出してその引き出し口18a 又は18b から所望長さを引き出して切断する。また、リールＣ、C'に巻装していたロープＢ、B'がなくなれば、同種のロープを巻装しているリールと取り替える。なお、リールＣ、C'を装着している架台は、両側板12、12に設けている手掛け孔19、19に手を掛けることによって所定場所に運搬、設置することができる。
【００４４】
また、前後の大小径リールＣ、C'からのロープＢ、B'を引き出し口18a 、18b から引き出すようにするには、これらのリールＣ、C'の上周部側から前方に繰り出して前面板13の後面から引き出し口18a 、18b にそれぞれ挿通してもよく、図７に示すように、これらのリールＣ、C'の下周部側から前方に繰り出して前面板13の後面から引き出し口18a 、18b
にそれぞれ挿通してもよい。
【符号の説明】
【００４５】
Ａ  架台本体
Ｂ  ロープ
Ｃ  リール
１、11  底板
２、12  側板
３、13  前面板
５、15a 、15b   水平上端面
６、16a 、16b   傾斜上端面
７、17a 、17b   軸受溝
８、18a 、18b   引き出し口
【図１】
0003173120.tif 000003
【図２】
0003173120.tif 000004
【図３】
0003173120.tif 000005
【図４】
0003173120.tif 000006
【図５】
0003173120.tif 000007
【図６】
0003173120.tif 000008
【図７】
0003173120.tif 000009
【図８】
0003173120.tif 000010